(57)【要約】【課題】ディスクにコンテンツデータを記録中に、各種規格およびビットレートによらずに、自動的に適切な等間隔のチャプタ位置を設定することができるチャプタ位置設定方法およびディスク記録装置を提案することを目的とする。【解決手段】ディスク記録装置で記録されるコンテンツデータのユーザによるアクセス単位のひとつであるチャプタ位置の間隔を算出するチャプタ位置設定方法として、各種規格のディスクに記録されるデータの再生単位数の規定より、このデータ再生単位の平均サイズを決定し、データ再生単位の平均サイズと記録時間モードに応じたビットレートとよりデータ再生単位の平均時間間隔を計算し、各記録時間モード間のデータ再生単位の平均時間間隔の最小公倍数を求めて、チャプタ位置設定間隔のグリッドを得、かつ各種規格の規定に基づきチャプタの最小設定時間を考慮してチャプタ位置設定を算出するようにする。【選択図】            図３
2004320154.tif 000002
【特許請求の範囲】
【請求項１】
ディスク記録装置で記録されるコンテンツデータのユーザによるアクセス単位のひとつであるチャプタ位置の間隔を算出するチャプタ位置設定方法であって、
各種規格のディスクに記録されるデータの再生単位数の規定より、該データ再生単位の平均サイズを決定し、
前記データ再生単位の平均サイズと記録時間モードに応じたビットレートとより前記データ再生単位の平均時間間隔を計算し、
各記録時間モード間の前記データ再生単位の平均時間間隔の最小公倍数を求めて、チャプタ位置設定間隔のグリッドを得、かつ各種規格の規定に基づき前記チャプタの最小設定時間を考慮してチャプタ位置設定を算出するようにした
ことを特徴とするチャプタ位置設定方法。
【請求項２】
ディスクに記録すべきコンテンツデータを蓄積し、所定データ量に達する毎に前記ディスクにデータ転送するバッファ部と、
各種規格のディスクに記録されるデータの再生単位数の規定より、該データ再生単位の平均サイズを決定し、前記データ再生単位の平均サイズと記録時間モードに応じたビットレートとより前記データ再生単位の平均時間間隔を計算し、各記録時間モード間の前記データ再生単位の平均時間間隔の最小公倍数を求めて、ユーザによるアクセス単位のひとつである等間隔のチャプタ位置設定のグリッドを得、かつ各種規格の規定に基づき前記チャプタの最小設定時間を考慮して算出されたチャプタ位置設定を記憶する記憶手段と、
ユーザにより選択されたチャプタ位置設定値と前記記録時間モードとに応じて、前記ディスクに記録すべき全コンテンツデータが記録された後に、前記バッファ部に対し、前記チャプタ位置設定値に基づくチャプタ位置情報を前記ディスクに転送するよう指示する制御部とを備える
ことを特徴とするディスク記録装置。
【発明の詳細な説明】
【０００１】
【発明の属する技術分野】
本発明は、例えば各種の記録可能型ＤＶＤメディアおよびＤＶＤレコーダに適用して好適なチャプタ位置設定方法およびディスク記録装置に関する。
【０００２】
【従来の技術】
デジタルデータを蓄積・保存できるメディアのひとつにＤＶＤなどがある。ＤＶＤ（Ｄｉｇｉｔａｌ  Ｖｅｒｓａｔｉｌｅ  Ｄｉｓｃ）は、ＣＤ（Ｃｏｍｐａｃｔ  Ｄｉｓｃ）を超える次世代の大容量光ストレージメディアとして開発、規格化されたものであり、映画、音楽、コンピューターなど様々な用途への応用が期待されている。このＤＶＤのメディア（物理フォーマット）の種類には再生専用型、追記型、書き換え型がある。例えばＤＶＤフォーラムといわれる業界団体で開発・規格化されたものに、再生専用型としてＤＶＤ−ＲＯＭ（ＤＶＤ−Ｒｅａｄ  Ｏｎｌｙ  Ｍｅｍｏｒｙ）、追記型としてＤＶＤ−Ｒ（Ｄ  ＶＤ  Ｒｅｃｏｒｄａｂｌｅ）、書き換え型としてＤＶＤ−ＲＡＭ（ＤＶＤ  Ｒｅｗｒｉｔａｂｌｅ）、同じく書き換え可能なＤＶＤ−ＲＷ（ＤＶＤ  Ｒｅ−ｒｅｃｏｒｄａｂｌｅ）がある。
【０００３】
これらメディア（物理フォーマット）に対応するアプリケーションフォーマット（論理記録フォーマット）についても規格化が進められ、ビデオ編集等の編集機能に優れたＤＶＤ−ＶＲ（ＤＶＤ−Ｖｉｄｅｏ  ｒｅｃｏｒｄｉｎｇ）規格がＤＶＤフォーラムで制定された。また既存のＤＶＤ−ＲＯＭディスクに記録されているＤＶＤ−ＶＩＤＥＯと再生互換性があるように記録する方法（以下、ビデオ互換と称する。）を採用する記録機も登場し、用途に応じた応用が可能となっている。
【０００４】
最近では、ＤＶＤ＋ＲＷアライアンスといわれる業界団体が、物理メディアとして書き換え型のＤＶＤ＋ＲＷおよびこれに対応するアプリケーションフォーマット、ＤＶＤ＋ＲＷ  ＶＩＤＥＯ（以下、＋ＲＷビデオと称する。）の規格化を行っている。＋ＲＷビデオ規格は、ビデオ互換規格にＤＶＤ＋ＲＷ独自の機能を拡張的に付加したものであり、また既存のＤＶＤドライブやＤＶＤ−ＲＯＭに記録されたビデオを再生するＤＶＤプレーヤとの再生互換性を高めている。以下に、上述した記録メディアとアプリケーションフォーマットの対応を表に示す。
【０００５】
【表１】
2004320154.tif 000003
【０００６】
これらの記録可能型のメディア（以下、記録メディアと称する。）に、映像、音楽、データなどのコンテンツデータを記録することができる記録装置として、ＤＶＤプレーヤに録画機能を付加したＤＶＤレコーダがある。ユーザはＤＶＤレコーダを使用して、所望のコンテンツ、例えば衛星放送の映画やテレビジョン放送番組等のコンテンツデータをＤＶＤ−ＲやＤＶＤ−ＲＷ等の記録可能型の記録メディアに予約録画して映画などを鑑賞したり、例えば結婚式の映像を録画・編集したりするなどして楽しむことができる。
【０００７】
ＤＶＤレコーダには、記録可能型ＤＶＤに録画した映像に好きなタイトル名をつけたり、また映像を確認しながらチャプタの位置を所望の位置に設定し、ユーザが編集や映像の管理に役立てる機能が備えられている。タイトルとは、ユーザが記録した映像を管理するためのもので、例えば、異なる時間に予約録画した映像にそれぞれタイトルをつけて分けたり、映画によってタイトルを分けたり、１つのＤＶＤのディスク内に複数のコンテンツデータを管理することができる。チャプタは、タイトルに記録されている内容を区分する単位であってユーザによるアクセス単位の一つである。
【０００８】
図７にＤＶＤ−ＶＩＤＥＯ規格で記録されるデータ構成の一例の概略図を示す。１タイトルは複数のセル（Ｃｅｌｌ  ）よりなるチャプタ（Ｃｈａｐｔｅｒ）から構成され、セルは映像データの単位であるＶＯＢＵ（Ｖｉｄｅｏ  Ｏｂｊｅｃｔ  Ｕｎｉｔ）が一個以上集まって構成される。このＶＯＢＵは大抵０．５秒程度の単位であり、一個以上のＧＯＰから構成される。タイトルは、管理情報としてはＰＧＣ（Ｐｒｏｇｒａｍ  Ｃｈａｉｎ）と呼ばれるセルの再生順番等のデータから構成される。１つのタイトルを途中で途切れることなく再生するためには、１つのＰＧＣから構成される必要がある。
【０００９】
編集の際にユーザが映像を見ながらチャプタの位置を一つ一つ確認して設定するだけでなく、記録中に自動的に等間隔で設定することも望まれる。その際、なるべく全てのタイトルで、タイトルの頭から最後まで等間隔に設定できることが望ましい。従来にも、例えばビデオ互換規格によってＤＶＤ−ＲＷ上に映像情報を録画する際に、３分や６分などといった間隔で自動的にチャプタを打っていくものがあった。
【００１０】
【発明が解決しようとする課題】
しかしながら、チャプタを設定できる位置や総数には各種規格（ＤＶＤ−ＶＩＤＥＯ、ＤＶＤ―ＶＲ、ＤＶＤ＋ＲＷ  ＶＩＤＥＯ）等やビットレート等により色々制限がある。例えば、映像情報をＤＶＤ上に記録するときには、映像などのコンテンツとそのコンテンツを管理するための管理情報を記録する必要があるが、１ディスク中の管理情報の記録できる記録容量は限られており、１タイトルや１ディスク中に設定可能な総チャプタ数などは、各種規格ごとに規定されている。また、ビットレートを下げて記録可能時間を長くすると、ユーザの管理上チャプタ数が多く必要になることが考えられるが、上述の規定によりチャプタ数を無限に打てるわけではない。
【００１１】
したがって、ある規格で設定された時間間隔でチャプタを打てたとしても、別の規格ではチャプタ数を規定の総数を超えて打てなくなるといった不都合が生じる恐れがある。
【００１２】
斯かる点に鑑み、本発明は、ディスクにコンテンツデータを記録中に、各種規格およびビットレートによらずに、自動的に適切な等間隔のチャプタ位置を設定することができるチャプタ位置設定方法およびディスク記録装置を提案することを目的とする。
【００１３】
【課題を解決するための手段】
本発明のチャプタ位置設定方法は、ディスク記録装置で記録されるコンテンツデータのユーザによるアクセス単位のひとつであるチャプタ位置の間隔を算出するチャプタ位置設定方法であって、各種規格のディスクに記録されるデータの再生単位数の規定より、このデータ再生単位の平均サイズを決定し、データ再生単位の平均サイズと記録時間モードに応じたビットレートとよりデータ再生単位の平均時間間隔を計算し、各記録時間モード間のデータ再生単位の平均時間間隔の最小公倍数を求めて、チャプタ位置設定間隔のグリッドを得、かつ各種規格の規定に基づきチャプタの最小設定時間を考慮してチャプタ位置設定を算出するようにしたものである。
【００１４】
斯かる本発明によれば、ディスク内を構成するデータ再生単位の平均サイズを決定し、その平均サイズと各記録時間モードに応じたビットレートより一再生単位の平均時間間隔を計算し、各記録時間モード間の平均時間間隔の最小公倍数を求めて、チャプタ位置のグリッドを得、さらに、１ディスクや１タイトル中の総チャプタ数、セル数等の各規格を考慮してチャプタ位置設定間隔を決定するようにしたので、各種規格およびビットレートによらずに、適切な等間隔のチャプタ位置を算出することができる。
【００１５】
本発明のディスク記録装置は、ディスクに記録すべきコンテンツデータを蓄積し、所定データ量に達する毎に前記ディスクにデータ転送するバッファ部と、各種規格のディスクに記録されるデータの再生単位数の規定より、該データ再生単位の平均サイズを決定し、このデータ再生単位の平均サイズと記録時間モードに応じたビットレートとよりデータ再生単位の平均時間間隔を計算し、各記録時間モード間の前記データ再生単位の平均時間間隔の最小公倍数を求めて、ユーザによるアクセス単位のひとつである等間隔のチャプタ位置設定のグリッドを得、かつ各種規格の規定に基づきチャプタの最小設定時間を考慮して算出されたチャプタ位置設定を記憶する記憶手段と、ユーザにより選択されたチャプタ位置設定値と前記記録時間モードとに応じて、このディスクに記録すべき全コンテンツデータが記録された後に、このバッファ部に対し、このチャプタ位置設定値に基づくチャプタ位置情報をこのディスクに転送するよう指示する制御部とを備えるものである。
【００１６】
斯かる本発明によれば、ディスク内を構成するデータ再生単位の平均サイズを決定し、その平均サイズと各記録時間モードに応じたビットレートより一データ再生単位の平均時間間隔を計算し、各記録時間モード間の平均時間間隔の最小公倍数を求めて、チャプタ位置のグリッドを得、さらに、１ディスクや１タイトル中の総チャプタ数、セル数等の各規格を考慮してチャプタ位置設定間隔を決定するようにしたので、、各種規格およびビットレートによらずに、記録時に自動的に適切な等間隔のチャプタ位置設定を行うことができる。
【００１７】
【発明の実施の形態】
以下、図１〜図６を参照して、本発明のチャプタ位置設定方法が適用される一実施の形態として、記録可能型のＤＶＤメディアを例として説明する。表２に本例で対象とする記録可能型のＤＶＤメディア（物理フォーマット）および対応アプリケーションフォーマットを示す。
【００１８】
【表２】
2004320154.tif 000004
【００１９】
これらのメデイアへの記録時に設定可能なチャプタの時間間隔を検討するに際して考慮する条件は、
（１）記録時間モードによらない時間間隔とすること（最小公倍数）。
（２）１タイトルの長さによらず、等間隔でチャプタが打てること（１タイトルのチャプタ数）。
（３）タイトル数が多くなっても、全タイトルにわたって等間隔でチャプタが打てること（ディスク内の全チャプタ数）。
この３点である。
【００２０】
この場合、記録後の編集によるチャプタ数の増加は考慮しない。つまり、記録時のチャプタ設定のみを考える。例えば、ＤＶＤ−ＶＲ規格におけるプレイリストや、＋ＲＷ  Ｖｉｄｅｏ（＋ＲＷビデオ）規格における編集後のプレイリスト・タイトル等は考慮しない。＋ＲＷビデオのプレイリスト・タイトルは編集用途などのためフルタイトル記録時と同時に生成されるもので、編集を行わない限りフルタイトルと同じ内容のタイトルである。
また、別の記録装置で記録済みのメディアを引き継ぐ場合は考慮しない。即ち、メディア内の全てのタイトルを自らの記録機で記録する場合のみを考えるとする。
【００２１】
まず、ビデオ互換および＋ＲＷビデオ規格において、記録時に設定可能なチャプタの時間間隔について検討する。
【００２２】
図１に、ビデオ互換規格および＋ＲＷビデオ規格で作成されるデータ構成の一例の概略図を示す。１タイトルはいくつかのチャプタから構成され、さらにチャプタはいくつかのセルから構成されている。つまり、１タイトルは複数セルの集まりであって、そのセルをあるまとまりごとに区切った単位がチャプタである。セルは一個以上のＶＯＢＵから構成され、ＶＯＢＵは動画像圧縮技術ＭＰＥＧ（Ｍｏｔｉｏｎ  Ｐｉｃｔｕｒｅ  Ｅｘｐｅｒｔｓ  Ｇｒｏｕｐ）のＧＯＰからなる映像などのコンテンツデータおよびその先頭に配置されるナビゲーション・パック（Ｎａｖｉｇａｔｉｏｎ  Ｐａｃｋ）と呼ばれる管理情報から構成されている。
【００２３】
このナビゲーション・パック（以下、ナビパックと称する。）には、例えば、ＶＯＢの先頭（ＶＯＢ Ｖ Ｓ ＰＴＭ）および終了時刻（ＶＯＢ Ｖ Ｅ ＰＴＭ）を指定する再生に関する制御情報、および±１２０秒内前後の動画像データへのポインタとなるようなアクセスに関する制御情報が格納されている。
【００２４】
これらのチャプタやセルには各種規格により１ディスクおよび１タイトルに存在可能な最大数が決められている。表３に、アプリケーションフォーマットと各構成要素の最大数を示す。
【表３】
2004320154.tif 000005
【００２５】
また各記録時間モードにおけるビットレートのパラメータを表４に示す。
【表４】
2004320154.tif 000006
【００２６】
まず第１に、チャプタを構成するセルのサイズを決定する。ここで１ディスクおよび１タイトルの記録時間を決めるパラメータは以下の項目である。
・１ディスク（１２ｃｍ）の容量が４．７ＧＢ（ギガバイト）。
・＋ＲＷビデオはディスク全体でのセル数が２５４個以下。
（ＤＶＤ−ＲＷのビデオ互換では１タイトルのセル数２５５個以下であるが、タイトルが変われば、また２５５個まで使用可能）。
・＋ＲＷビデオではいかなるセルも再生時間は２５５．５秒以下。
【００２７】
ディスク全体のセルサイズをほぼ均等にしたとすると平均セルサイズ（容量）は、
４．７ＧＢ／２５４＝１７．６ＭＢ
となる。
このとき、ファイル・システムや情報ファイル（Ｉｎｆｏｒｍａｔｉｏｎ  ｆｉｌｅ）等のサイズは、ＡＶ（Ａｕｄｉｏ−Ｖｉｓｕａｌ）データ、即ち映像情報や音声情報などのコンテンツデータに比べてかなり小さいのでここでは無視する。上述のセルサイズより小さいサイズのセルを作るとディスク容量を無駄にすることになるので、記録停止直前のセル以外はほぼ２０ＭＢ（以下）とする。
【００２８】
しかし記録停止時においては、図２に示すように、ユーザが停止を指示した際、セルのサイズが所定の値になるまで待つのではなく、小さいサイズの時点ですぐさま記録停止するのが望ましい。このように半端な大きさのセルが多数生成される事が考えられる。仮にディスク上のセル全てが２０ＭＢならば、１ディスク内のセル数は、
４．７ＧＢ／２０ＭＢ＝２２４．１（個）
となる。２５４−２２４＝３０（個）となり、３０セル分は記録停止時に２０ＭＢよりはるかに小さいセルができることに回すことができ、ディスク容量を有効に使用することができる。
【００２９】
条件（１）  最小公倍数
ビデオ互換および＋ＲＷビデオ規格では、チャプタはセルとアラインさせる、つまりそろえる必要がある。各記録時間モードにおける１セルあたりの平均セル間隔は次のようになる（＊は乗算を表す）。
【００３０】
（１セル）＝２０ＭＢ＝２０＊１０２４＊１０２４ｂｙｔｅ
（１ＶＯＢＵ）＝０．６ＭＢ（１０Ｍｂｐｓ時）（＝８＊１０Ｍｂｐｓ／０．５ｓｅｃ）
１Ｈ    ：１０    Ｍｂｐｓ→（平均セル間隔）＝１６．２７秒→約１５秒
１．５Ｈ：  ６．６Ｍｂｐｓ→（平均セル間隔）＝２４．９１秒→約２２．５秒
２Ｈ    ：  ５    Ｍｂｐｓ→（平均セル間隔）＝３２．８８秒→約３０秒
３Ｈ    ：  ３．３Ｍｂｐｓ→（平均セル間隔）＝４９．８２秒→約４５秒
４Ｈ    ：  ２．５Ｍｂｐｓ→（平均セル間隔）＝６５．７６秒→約６０秒
６Ｈ    ：  １．７Ｍｂｐｓ→（平均セル間隔）＝９６．７１秒→約９０秒
となる。この例では最終的なセル間隔はおおよそ切りのよい数字としている。
【００３１】
上記の最小公倍数は、１８０秒、即ち３分となって、チャプタ間隔は３分グリッドにのる必要がある。換言すれば、チャプタを打つ箇所は少なくとも３分で割り切れる時間上でなければならない。
【００３２】
条件（２）  １タイトルのチャプタ数
ビデオ互換および＋ＲＷビデオ規格から、１タイトル（この例ではＰＧＣとしている。）の総チャプタ数は９９個以下である。１タイトルの総セル数は２５５または２５４以下であるので、１タイトル内の１チャプタあたりのセル数の平均は、
ビデオ互換  ：（２５５セル）／（９９チャプタ）＝２．６、
＋ＲＷビデオ：（２５４セル）／（９９チャプタ）＝２．６
である。
つまり、３セルに１チャプタならば全ディスクにわたって平均的にチャプタをつけることができる。セル間隔が一番長い６時間モードでは、（３セル）＝（約４分３０秒）となる。したがって、それより長くて、各記録時間モードの最小公倍数にのる時間間隔は、最低６分以上の間隔にする。図３は記録時間６時間モード時にチャプタ位置を６分間隔に設定したときの記録データのイメージを表したものであり、自動的に６分等間隔にチャプタが作成され、１タイトルが４個のセルからなる複数のチャプタより構成される。
【００３３】
条件（３）  ディスク内の全チャプタ数
＋ＲＷビデオ規格においては、１ディスク中のすべてのフル・タイトルでチャプタは２５４個以下である。これは１ディスク中の最大セル数が２５４個以下であることから条件を満たしている。
【００３４】
条件（４）  その他の考慮すべき条件
＋ＲＷビデオのファイルシステムにおいては、
・各ＶＴＳ（Ｖｉｄｅｏ  ｔｉｔｌｅ  ｓｅｔ）のＶＴＳ ＰＴＴ ＳＲＰＴ（以下、ＳＲＰＴと称する。）フィールドは４０９６バイト以下、
・各ＶＴＳのＶＴＳ ＰＧＣＩＴ（以下、ＰＧＣＩＴと称する。）フィールドは２５＊２０４８＝５１２００バイト以下、
の条件がある（ＳＲＰＴ：Ｓｅａｒｃｈ  Ｐｏｉｎｔｅｒ  Ｔａｂｌｅ、ＰＧＣＩＴ：Ｐｒｏｇｒａｍ  Ｃｈａｉｎ  Ｉｎｆｏｒｍａｔｉｏｎ  Ｔａｂｌｅ）。つまり、ＳＲＰＴおよびＰＧＣＩＴは情報管理に使用されるファイルであり、このファイルの容量に制限があるということである。
これは、記録時間モードが最長の６時間モードのときに、図４に示すような、
（１タイトル（１ＴＴ））＝（６分＋αの長さ）＝（２チャプタ）＝（５セル）といった１ディスクにタイトルがたくさんある場合を考えればよい。
【００３５】
上述時間間隔（約６分）で、ＳＲＰＴフィールドのサイズを計算する。計算式は、
（ＳＲＰＴサイズ）＝（８）＋（４＊タイトル数）＋（４＊チャプタ数＊タイトル数）である。チャプタ数が一番多くなるのは、ディスク全体にわたって最大記録時間モード、この例では６時間モードだけで記録した場合である。
６時間モードで各タイトルの長さを（６分＋α）で記録すると、１タイトルは２チャプタになるが、これは（６時間）／（６分）＝６０タイトルとなり、同時にフル・タイトルとプレイリスト・タイトルができるので、１２０タイトルとなる。これはタイトル数の最大数９８を先に超えてしまう。よって、１タイトルの長さとしてはもっと長い時間を考えればよい。
【００３６】
次に、６時間モードで４９回記録した場合は、１タイトルは（６時間）／（４９回）＝７．３分となる。つまり、１チャプタは６分であるので、１タイトルが２チャプタとなって、フル・タイトルとプレイリスト・タイトルを合わせて、ディスク全体で２＊４９＝９８チャプタになる。この時、ＳＲＰＴフィールドのサイズは、
（８）＊＋（４＊９８）＋（４＊９８＊２）＝１１８４バイト
となる。これは上述のＳＰＲＴフィールドサイズの上限である４０９６バイトを下回るので条件を満足している。
【００３７】
次に、上記約６分の時間間隔でＰＧＣＩＴフィールドのサイズを計算してみる。ＰＧＣを再生する前に再生順などを指示するコマンド（ＣＭＤ：Ｃｏｍｍａｎｄ）が登録されるＰＧＣ ＣＭＤＴ（Ｐｒｏｇｒａｍ  Ｃｈａｉｎ  Ｃｏｍｍａｎｄ  Ｔａｂｌｅ）では１タイトル（１ＰＧＣ）につき常に３個のＣＭＤを置かなければならない。計算式は、
（ＰＧＣＩＴサイズ）＝（８）＋（８＊タイトル数）＋（タイトル数＊ＰＧＣサイズ）＋（２＊ＥｍｐｔｙＰＧＣサイズ）
となる。ここでＰＧＣサイズ、ＥｍｐｔｙＰＧＣサイズは
（ＰＧＣサイズ）＝（２３６）＋（３２）＋（チャプタ数）＋（２４＊セル数）＋（４＊セル数）、
また、
（ＥｍｐｔｙＰＧＣサイズ）＝（２３６）＋（８＋８＊３）＋（２）＋（２４）＋（４）＝２９８バイト
で求められる。
【００３８】
尚、ＥｍｐｔｙＰＧＣとは、ディスク内の情報が記録されていない領域を管理し、空情報を通知するといった機能を持ち、フル・タイトルおよびプレイリスト・タイトルに対し、それぞれディスク内にひとつずつ配置される。ディスク上に開き領域がない場合、またはフル・タイトルとプレイリスト・タイトル合わせて９８タイトル存在する場合、ＥｍｐｔｙＰＧＣは存在してはならない。
【００３９】
同じく、６時間モードで（１タイトル）＝（２チャプタ）＝（５セル）を考える。ディスク全体のタイトル数は、（４．７ＧＢ）／（６分＊１．７Ｍｂｐｓ）＝６１タイトル。フル・タイトルは４９個以下なので、実質４９タイトルである。１ＰＧＣのサイズは、
（１ＰＧＣサイズ）＝（２３６）＋（３２）＋（２チャプタ）＋（２４＊５セル）＋（４＊５セル）＝４１０バイトとなる。
ディスク全体では、フル・タイトルおよびプレイ・リスト・タイトル合わせて９８タイトルであるので、ディスク全体のＰＧＣＩＴサイズは、
（ＰＧＣＩＴサイズ）＝（８）＋（８＊９８）＋（９８＊４１０）＋（０＊ＥｍｐｔｙＰＧＣサイズ）＝４０９７２バイト
となり、これは上述した５１２００バイトを下回っているので条件を満たす。
【００４０】
以上の計算結果から、ビデオ互換規格、＋ＲＷビデオ規格では約６分以上で３分間隔、例えば６分、９分、１２分・・・といった間隔のチャプタ設定が可能である。
【００４１】
次に、ＤＶＤ−ＶＲ規格における記録時に設定可能なチャプタ（フォーマット・ブック用語でＥｎｔｒｙ  Ｐｏｉｎｔに相当。）の時間間隔について、各条件ごとに検討する。
【００４２】
条件（１）  最小公倍数
ＤＶＤ−ＶＲは映像データ等の編集を目的として規格化されたものであるので、基本的な機能としてどの時点でもチャプタを設定することができる。したがって、チャプタはセルやＶＯＢと揃える（アラインする）必要がなく無関係に設定できる。つまり、チャプタ間隔にグリッドは必要ない。
【００４３】
条件（２）  １タイトルのチャプタ数
ディスク内において、全てのオリジナルタイトルに対するチャプタ総数            は９９９個以下でなければならない。ディスクがフルになるまで１タイトルを記録する場合、１チャプタあたりの平均チャプタ時間間隔は、
（１チャプタ）＝（６時間）／９９９＝２１．６秒となる。
【００４４】
条件（３）  ディスク内の全チャプタ数
ディスク内において、オリジナルタイトルは９９個以下でなくてらない。６時間モードにおける１タイトルの平均時間間隔は、
（１タイトル）＝（６時間）／（９９タイトル）＝２１８秒とする。
また、１タイトルの平均チャプタ数は、９９９／９９＝１０個とする。
ワーストケースは、９個のチャプタは規定の時間間隔があるが、最後のチャプタが非常に短い場合であるので、
（２１８秒）／（９チャプタ）＝２４．２秒
となる。つまりチャプタの時間間隔は、２４．２秒以上の必要がある。
【００４５】
条件（４）  その他の条件
上述した計算は、Ｕｓｅｒ  Ｍａｒｋｅｒ（Ｅｎｔｒｙ  Ｐｏｉｎｔ  Ｗｉｔｈ  Ｐｒｉｍａｒｙ  Ｔｅｘｔ）は考慮していない。Ｕｓｅｒ  Ｍａｒｋｅｒとはプライマリ・テキストと呼ばれる特殊なテキストをつけたエントリーポイントであって、チャプタの一種である。
【００４６】
上述の計算結果より、ＤＶＤ−ＶＲ規格におけるチャプタの時間間隔は２４．２秒以上であればよく、特にグリッドは必要としないので、例えば２５秒、２６秒、２７秒といったような細かい時間間隔設定が可能である。勿論、ビデオ互換や＋ＲＷビデオ規格におけるような６分、９分、１２分といったより長い時間間隔な設定としてもよい。
【００４７】
表５に、ビデオ互換、＋ＲＷビデオ、およびＤＶＤ−ＶＲ規格のそれぞれについて記録時に設定可能なチャプタの時間間隔を示す。
【００４８】
【表５】
2004320154.tif 000007
【００４９】
斯かる本例のチャプタ位置設定方法によれば、ディスク内を構成するセルの平均セルサイズを決定し、その平均セルサイズと各記録時間モードに応じたビットレートより１セルの平均時間間隔を計算し、各記録時間モード間の平均セル時間間隔の最小公倍数を求めて、チャプタ位置のグリッドを得、さらに、１ディスクや１タイトル中の総チャプタ数、セル数等を考慮してチャプタ位置設定間隔を決定するようにしたので、各種規格およびビットレートによらずに、適切な等間隔のチャプタ位置を算出することができる。
【００５０】
上述のチャプタ設定方法をディスク記録装置の一例としてＤＶＤレコーダに適用した場合を説明する。図５は、ＤＶＤレコーダの構成の一例を示すシステムブロック図である。ＡＶは映像信号および音声信号の入出力領域、ＲＤは入力信号データのエンコーダおよびデコーダを中心とする記録再生領域を表す。
【００５１】
入力領域ＡＶにおいて、例えば地上波放送などのＲＦ信号がチューナ１にて受信し復調され、そのうちアナログ映像信号はセレクタ４ａに入力される。ライン映像入力からのアナログ映像信号もセレクタ４ａに入力される。そして、セレクタ４ａでチューナ１またはライン映像入力６からのアナログ映像信号が選択さ    れて、ＮＴＳＣ／ＰＡＬデコーダ５でデジタル映像信号に変換され、記録再生領域ＲＤの切り替え部９のセレクタ９ａに入力される。また、チューナ１にて受信、復調されたアナログ音声信号およびライン音声入力７よりのアナログ音声信号がセレクタ４ｂに入力され、セレクタ４ｂにより一方の音声信号が選択されてオーディオＡ／Ｄ８に入力され、アナログ・デジタル変換されて記録再生領域ＲＤのスイッチャー１０に入力される。
【００５２】
切り替え部９のセレクタ９ａに入力されたチューナ１またはライン映像入力６よりのデジタル映像データは、デジタルデータの画像圧縮手段であるＡＶエンコーダ１１またはスイッチャー９ｂに入力される。また入出力領域ＡＤよりスイッチャー１０に入力された入力音声信号は、ＡＶエンコーダ１１またはグラフィックス１５に入力される。
【００５３】
切り替え部９のスイッチャー９ｂおよびスイッチャー１０は、入力された映像または音声データを、システムの再生／記録モードによって、即ちチューナ１などからの映像音声データを再生するのか、または映像音声データを再生すると同時にディスク１３に記録するのか、またはディスク１３からの映像音声データを再生するか、これらシステムの再生／記録モードにより、映像データおよび音声データの経路を切り替えるようにしている。
【００５４】
ＡＶエンコーダ１１は、ＭＰＥＧ２動画像圧縮技術により映像音声信号を圧縮してバッファ部１２に送出する。バッファ部１２はＳＤＲＡＭ（Ｓｙｎｃｈｒｏｎｏｕｓ  Ｄｙｎａｍｉｃ  ＲＡＭ）などのメモリを備え、ＡＶエンコーダ１１より圧縮された映像および音声データのストリームデータを所定容量蓄積して所定のデータ量に達するとＤＶＤ−Ｒ、ＤＶＤ−ＲＷ、ＤＶＤ＋ＲＷ等の記録可能型のディスク１３に書き込みを行うように、ＭＰＵ（Ｍｉｃｒｏ  Ｐｒｏｃｅｓｓｉｎｇ  Ｕｎｉｔ）等から構成されるシステムコントローラ２２より書き込みコマンドが発行されてデータを一括転送するようになされている。尚、この図ではディスク１３側ドライブの系統図やピックアップ等の光学系、メカユニットの記載は省略している。
【００５５】
ディスク１３を再生時は、ディスク１３から読み出した再生信号は、一旦、バッファ部１２に蓄積され、所定データ量単位で圧縮動画像データをＡＶデコーダ１４で伸張されて、グラフィックス１５に入力される。そして、グラフィックス１５で、ＯＳＤ（Ｏｎ  Ｓｃｒｅｅｎ  Ｄｉｓｐｌａｙ）機能などによりディスプレイ表示に必要な処理がなされた後、映像のデジタルデータはＩ／Ｐ変換１６に入力されインターレース／プログレッシブ変換され、ＮＴＳＣ／ＰＡＬエンコーダ１７により必要なテレビジョン放送方式に復号されて液晶表示装置等のディスプレイ１８またはライン映像出力１９に入力されて外部に送信される。一方、音声のデジタルデータはオーディオＤ／Ａ２０に入力されデジタル／アナログ変換された後、スピーカ等のライン音声出力２１に供給される。
【００５６】
これらのシステム全体の制御を行う制御手段が、システムコントローラ２２であり、図示しないがホストバスを介して各デバイスと接続され、制御を行うことができるようになされている。また、このシステムコントローラ２２には内部バスを介してワークエリアとしてのＳＤＲＡＭ２３や不揮発性メモリからなる記憶手段のフラッシュメモリ２４等が接続されている。
【００５７】
例えば６分、９分、１２分等のチャプタ位置設定時間間隔はこのフラッシュメモリ２４に記憶させてユーザが適宜選択できるようにしておく。ユーザは本システムに設けられた図示しないディスプレイやリモートコントローラ等のユーザインターフェースを介して、上述のチャプタ位置設定時間間隔の中から所望の時間間隔のチャプタ位置設定値を選択してフラッシュメモリ２４に登録しておいて、記録時に自動的に等間隔のチャプタを作成し、再生や編集作業時の利便性を向上することができる。
【００５８】
上述したように、ＡＶエンコーダ１１で圧縮された映像音声データの記録が行われる際、バッファ部１２に所定データ量が蓄積されるとディスク１３にデータが転送されて書き込まれるが、ＤＶＤ−ＶＩＤＥＯおよび＋ＲＷビデオ規格の記録の場合、データ転送はセル単位で行われる。したがって、バッファ部１２のＳＤＲＡＭ等のメモリ容量は、本例においてはディスク中の平均セルサイズを２０ＭＢとしたので、最低２０ＭＢ以上あればよい。
【００５９】
実際には、ユーザによる１回の録画開始操作から録画停止操作でひとつのタイトルが生成される。図６に、ＤＶＤ−ＶＩＤＥＯの場合の記録時のコンテンツデータおよび管理情報の一例を示して説明する。まず、ディスク１３にコンテンツデータ記録中は、図６Ａに示すように、コンテンツデータＶＴＳＴＴ ＶＯＢＳがディスクのリードイン、リードアウト内の所定領域に書き込まれていく。そして、最後にディスクを取り出す時に、図６Ｂに示すように、システムコントローラ２２がフラッシュメモリ２４に管理する、記録された映像音声データ等のコンテンツデータを再生するためのチャプタ位置情報を含む各管理情報をディスク１３に記録するようにして、予めユーザが選択したチャプタ位置設定値に基づき、自動的に等間隔のチャプタ位置情報をまとめて書き込むことができる。尚、図６Ｂの例においてチャプタ位置情報は、ＶＴＳＩ．ＩＦＯおよびＶＴＳＩ．ＢＵＰに含まれている。
【００６０】
上述のチャプタ位置情報を含む管理情報は、ディスクを取り出す際にディスクに記録するのではなく、コンテンツの記録終了時に記録するようにしてもよい。
【００６１】
また、上述ＤＶＤレコーダのシステム構成は、周知のＤＶＤレコーダのシステム構成の一例を示したに過ぎず、その他周知技術より種々の構成を採用することができる。
【００６２】
斯かる本例のディスク記録装置によれば、ディスク内を構成するセルの平均セルサイズを決定し、その平均セルサイズと各記録時間モードに応じたビットレートより１セルの平均時間間隔を計算し、各記録時間モード間の平均セル時間間隔の最小公倍数を求めて、チャプタ位置のグリッドを得、さらに、１ディスクや１タイトル中の総チャプタ数、セル数等を考慮してチャプタ位置設定間隔を決定するようにしたので、、各種規格およびビットレートによらずに、記録時に自動的に適切な等間隔のチャプタ位置を設定することができ、その後のユーザ操作によるディスクの再生や編集作業時の利便性を向上させることができる。
【００６３】
尚、本発明は、上述したＤＶＤおよびＤＶＤレコーダの例に限らず、その他、例えばＤＶＤでなくＨＤＤ（Ｈａｒｄ  Ｄｉｓｋ  Ｄｒｉｖｅ）へコンテンツデータを記録時のチャプタ作成にも適用できる。また、映像データなどのストリームデータを記録する際、コンテンツデータを先に記録した後、最後にチャプタ位置をまとめて書き込む記録方法を採用するメディアおよびその記録装置に適用することができる。
【００６４】
また、本発明は上述した実施の形態の例に限られるものではなく、本発明の要旨を逸脱することなくその他種々の構成を取り得ることは勿論である。
【００６５】
【発明の効果】
斯かる本発明のチャプタ位置設定方法によれば、ディスク内を構成するデータ再生単位の平均サイズを決定し、その平均サイズと各記録時間モードに応じたビットレートより一再生単位の平均時間間隔を計算し、各記録時間モード間の平均時間間隔の最小公倍数を求めて、チャプタ位置のグリッドを得、さらに、１ディスクや１タイトル中の総チャプタ数、セル数等の各規格を考慮してチャプタ位置設定間隔を決定するようにしたので、各種規格およびビットレートによらずに、適切な等間隔のチャプタ位置を算出することができる。
【００６６】
また、本発明のディスク記録装置によれば、ディスク内を構成するデータ再生単位の平均サイズを決定し、その平均サイズと各記録時間モードに応じたビットレートより一データ再生単位の平均時間間隔を計算し、各記録時間モード間の平均時間間隔の最小公倍数を求めて、チャプタ位置のグリッドを得、さらに、１ディスクや１タイトル中の総チャプタ数、セル数等の各規格を考慮してチャプタ位置設定間隔を決定するようにしたので、各種規格およびビットレートによらずに、記録時に自動的に適切な等間隔のチャプタ位置を設定することができ、その後のユーザ操作によるディスクの再生や編集作業時の利便性を向上させることができる。
【図面の簡単な説明】
【図１】本発明の一実施の形態の例の説明に供する線図である。
【図２】本発明の一実施の形態の例の説明に供する線図である。
【図３】本発明の一実施の形態のデータ構成の一例を示す線図である。
【図４】本発明の一実施の形態の例の説明に供する線図である。
【図５】本発明の一実施の形態の例のＤＶＤレコーダのシステムブロック構成図である。
【図６】本発明の一実施の形態のＤＶＤに記録されるデータ構成の一例を示す線図である。
【図７】ＤＶＤに記録されているデータ構成の一例を示す線図である。
【符号の説明】
１…チューナ、２…ＧＲ、３…３ＤＹ／Ｃ処理部、４ａ，４ｂ，９ａ…セレクタ、５…ＮＴＳＣ／ＰＡＬデコーダ、６，７…ライン入力部、８…オーディオＡ／Ｄ、９…切り替え部、９ｂ，１０…スイッチャー、１１…ＡＶエンコーダ、１２…バッファ部、１３…ＤＶＤ（書き込み領域部）、１４…ＡＶデコーダ、１５…グラフィックス、１６…Ｉ／Ｐ変換部、１７…ＮＴＳＣ／ＰＡＬエンコーダ、１８…ディスプレイ、１９…ライン出力、２０…システムコントローラ、２１…ＳＤＲＡＭ、２２…フラッシュメモリ
【図１】
2004320154.tif 000008
【図２】
2004320154.tif 000009
【図３】
2004320154.tif 000010
【図４】
2004320154.tif 000011
【図５】
2004320154.tif 000012
【図６】
2004320154.tif 000013
【図７】
2004320154.tif 000014